(57)【特許請求の範囲】
【請求項１】
端末のスリープモードパラメータを更新する方法であって、
前記方法は、
基地局からスリープモードで、サービスフローの設定のためのサービスフローパラメータ、及びスリープ周期セッティングの変更又はスイッチングのためのスリープ周期識別子（ＳＣＩＤ）を含むサービスフロー設定要求（ＤＳｘ−ＲＥＱ）メッセージを受信することと、
前記サービスフロー設定要求（ＤＳｘ−ＲＥＱ）メッセージに含まれる前記スリープ周期識別子（ＳＣＩＤ）を適用することと
を含む、方法。
【請求項２】
前記サービスフロー設定要求（ＤＳｘ−ＲＥＱ）メッセージは、動的サービス追加要求（ＤＳＡ−ＲＥＱ）メッセージ、動的サービス変更要求（ＤＳＣ−ＲＥＱ）メッセージ、又は動的サービス削除要求（ＤＳＤ−ＲＥＱ）メッセージである、請求項１に記載の方法。
【請求項３】
前記サービスフロー設定要求（ＤＳｘ−ＲＥＱ）メッセージは、前記サービスフロー設定要求（ＤＳｘ−ＲＥＱ）メッセージに含まれる前記スリープ周期識別子（ＳＣＩＤ）が適用されるフレームを示す開始フレーム番号フィールドをさらに含む、請求項１に記載の方法。
【請求項４】
前記スリープ周期識別子（ＳＣＩＤ）を適用するステップは、
スリープ周期識別子（ＳＣＩＤ）を前記サービスフロー設定要求（ＤＳｘ−ＲＥＱ）メッセージに含まれる前記スリープ周期識別子（ＳＣＩＤ）に更新することをさらに含み、
前記更新されたスリープ周期識別子（ＳＣＩＤ）は、前記開始フレーム番号フィールドに基づいて適用される、請求項３に記載の方法。
【請求項５】
前記基地局に前記サービスフロー設定要求（ＤＳｘ−ＲＥＱ）メッセージに対する応答を送信することと、
前記サービスフローパラメータによりサービスフローを設定することと
をさらに含む、請求項１に記載の方法。
【請求項６】
端末のスリープモードパラメータを更新する方法であって、
前記方法は、
スリープモードでスリープ周期セッティングを変更又はスイッチングするためのサービスフロー設定要求（ＤＳｘ−ＲＥＱ）メッセージを基地局に送信することと、
前記基地局からスリープモードで、前記サービスフロー設定要求（ＤＳｘ−ＲＥＱ）メッセージに対する応答として、スリープ周期識別子（ＳＣＩＤ）を含むサービスフロー設定応答（ＤＳｘ−ＲＳＰ）メッセージを受信することと、
前記サービスフロー設定応答（ＤＳｘ−ＲＳＰ）メッセージに含まれる前記スリープ周期識別子（ＳＣＩＤ）を適用することと
を含む、方法。
【請求項７】
前記サービスフロー設定応答（ＤＳｘ−ＲＳＰ）メッセージは、前記サービスフロー設定応答（ＤＳｘ−ＲＳＰ）メッセージに含まれる前記スリープ周期識別子（ＳＣＩＤ）が適用されるフレームを示す開始フレーム番号フィールドをさらに含む、請求項６に記載の方法。
【請求項８】
前記スリープ周期識別子を適用するステップは、前記開始フレーム番号フィールドに基づく、請求項７に記載の方法。
【請求項９】
前記サービスフロー設定要求（ＤＳｘ−ＲＥＱ）メッセージは、動的サービス追加要求（ＤＳＡ−ＲＥＱ）メッセージ、動的サービス変更要求（ＤＳＣ−ＲＥＱ）メッセージ、又は動的サービス削除要求（ＤＳＤ−ＲＥＱ）メッセージである、請求項６に記載の方法。
【請求項１０】
前記サービスフロー設定要求（ＤＳｘ−ＲＥＱ）メッセージは、スリープ周期識別子（ＳＣＩＤ）をさらに含む、請求項６に記載の方法。
【請求項１１】
スリープモードパラメータを更新する装置であって、
前記装置は、
スリープモードで、スリープ周期セッティングを変更又はスイッチングするためのスリープ周期識別子（ＳＣＩＤ）を含むサービスフロー設定要求（ＤＳｘ−ＲＥＱ）メッセージを受信するように構成された受信部と、
前記サービスフロー設定要求（ＤＳｘ−ＲＥＱ）メッセージに対する応答を送信するように構成された送信部と、
前記サービスフロー設定要求（ＤＳｘ−ＲＥＱ）メッセージに含まれる前記スリープ周期識別子（ＳＣＩＤ）を適用するように構成された制御部と
を含む、装置。
【請求項１２】
前記サービスフロー設定要求（ＤＳｘ−ＲＥＱ）メッセージは、前記サービスフロー設定要求（ＤＳｘ−ＲＥＱ）メッセージに含まれる前記スリープ周期識別子（ＳＣＩＤ）が適用されるフレームを示す開始フレーム番号フィールドをさらに含む、請求項１１に記載の装置。
【請求項１３】
前記制御部は、スリープ周期識別子（ＳＣＩＤ）を、前記サービスフロー設定要求（ＤＳｘ−ＲＥＱ）メッセージに含まれる前記スリープ周期識別子（ＳＣＩＤ）に更新するように制御し、前記開始フレーム番号フィールドに基づいて前記更新されたスリープ周期識別子（ＳＣＩＤ）を適用するように制御する、請求項１２に記載の装置。
【発明の詳細な説明】
【技術分野】
【０００１】
本発明は、スリープモード動作方法及び装置に関し、スリープ周期ＩＤ（Ｓｌｅｅｐ  Ｃｙｃｌｅ  ＩＤ；  ＳＣＩＤ）を更新（アップデート）する方法及び装置に関する。
【背景技術】
【０００２】
広帯域無線移動通信システムにおいては、端末の移動性を考慮するため、端末の電力消費問題が他のシステムに比べて非常に重要な要素となる。このように端末の電力消費を最小限に抑えるための方法の１つとして、端末と基地局間のスリープモード動作が提案されている。
【０００３】
従来、スリープモード動作は、端末がアクティブモードで基地局との通信を行っていて、基地局と送受信するトラフィックが存在しなくなると、スリープモードへの移行を要求し、それに対する応答を基地局から受信してスリープモードに状態変更することにより行われる。
【０００４】
スリープモードの状態に移行した端末は、スリープモードのリッスン区間で基地局からトラフィックが存在するか否かを示すメッセージを受信し、トラフィックがないという否定的な指示（ネガティブインジケーション）を受信すると、ダウンリンクで伝送されるデータトラフィックが存在しないと判断し、現在のスリープ周期を２倍に増加させる。
【０００５】
また、前記リッスン区間で基地局から肯定的な指示（ポジティブインジケーション）を受信すると、端末は、ダウンリンクで伝送されるデータトラフィックが存在すると判断し、現在のスリープ周期を初期化する。
【０００６】
一方、端末は、スリープモード動作に移行した後、新しいサービスが追加されたり、サービスの変更又はサービスの除去が発生すると、それに応じてスリープモード動作を変更しなければならない。
【０００７】
この場合、従来技術によれば、サービスフローの生成による接続設定が完了すると、スリープモード動作の変更のためのスリープ周期ＩＤ（ＳＣＩＤ）更新手順が別途行われるため、端末と基地局との間で新しいスリープモード要求メッセージ及びスリープモード応答メッセージをやり取りしなければならないシグナリングオーバーヘッドの問題が発生する。
【発明の概要】
【課題を解決するための手段】
【０００８】
本発明の目的は、スリープモード動作中の端末のサービスが変更された場合にサービスフローの変更のためのメッセージによりスリープモード動作を更新する方法及び装置を提供することにある。
【０００９】
本発明の他の目的は、スリープモード動作の更新のためのスリープ周期ＩＤ更新方法、及びそれによる端末のスリープモード動作更新方法を提供することにある。
【００１０】
上記目的を達成するための本発明の一実施形態による端末のスリープモード動作更新方法は、スリープモードのリッスン区間で、サービスフローの設定のためのサービスフローパラメータ及び前記サービスフローの設定によるスリープモードの変更のためのスリープ周期ＩＤ（ＳＣＩＤ）を含むサービスフロー設定要求（ＤＳｘ−ＲＥＱ）メッセージを基地局から受信する段階と、前記ＳＣＩＤを含むサービスフロー設定応答（ＤＳｘ−ＲＳＰ）メッセージを送信する段階と、前記サービスフロー識別子に基づいて前記サービスフローを設定し、ＳＣＩＤを前記ＳＣＩＤに変更してスリープモード動作を更新する段階とを含む。
【００１１】
上記目的を達成するための本発明の他の実施形態による端末のスリープモード動作更新方法は、スリープモードのリッスン区間で、サービスフローの設定のためのサービスフロー識別子を含むサービスフロー設定要求（ＤＳｘ−ＲＥＱ）メッセージを基地局から受信する段階と、前記スリープ周期ＩＤを含むサービスフロー設定応答（ＤＳｘ−ＲＳＰ）メッセージを送信する段階と、前記サービスフローの設定によるスリープモードの更新のためのスリープ周期ＩＤ（ＳＣＩＤ）を含むサービスフロー設定確認（ＤＳｘ−ＡＣＫ）メッセージを前記基地局から受信する段階と、前記サービスフロー識別子に基づいて前記サービスフローを設定し、予め割り当てられたスリープ周期ＩＤを前記スリープ周期ＩＤに変更してスリープモード動作を更新する段階とを含む。
【００１２】
上記目的を達成するための本発明のさらに他の実施形態による端末のスリープモード動作更新方法は、前記スリープモードに移行するためのスリープモード要求メッセージを基地局に送信する段階と、前記基地局からスリープモード動作パラメータを含むスリープモード応答メッセージを受信する段階と、前記スリープモード動作パラメータに基づいて、前記スリープモードに状態変更する段階と、前記基地局からスリープ周期ＩＤ及びスリープモード更新動作の開始フレーム情報を含むスリープモード更新情報を受信する段階と、前記スリープモード更新情報に基づいて、前記スリープモード動作を更新する段階とを含み、前記スリープモード更新動作開始フレームが前記スリープモード更新情報を受信した以前のフレームの場合、前記スリープモード更新動作の開始フレーム情報の時点でスリープ周期を更新することを特徴とする。
【００１３】
上記目的を達成するための本発明のさらに他の実施形態による端末のスリープモード動作更新方法は、前記スリープモードに移行するためのスリープモード要求メッセージを基地局に送信する段階と、前記基地局からスリープモード動作パラメータを含むスリープモード応答メッセージを受信する段階と、前記スリープモード動作パラメータに基づいて、前記スリープモードに状態変更する段階と、実行中のサービスフローの特性に変化が生じた場合にこれを前記基地局に報告する段階と、前記基地局からスリープ周期ＩＤを含むスリープモード更新情報を、非要求（ｕｎｓｏｌｉｃｉｔｅｄ）スリープモード応答メッセージ又はスリープ制御拡張ヘッダ（Ｓｌｅｅｐ  Ｃｏｎｔｒｏｌ  Ｅｘｔｅｎｄｅｄ  Ｈｅａｄｅｒ）により受信する段階と、前記スリープモード更新情報に基づいて、前記スリープモード動作を更新する段階とを含む。
【００１４】
上記目的を達成するための本発明の一実施形態によるスリープモード動作装置は、スリープモードのリッスン区間で、サービスの追加、変更、又は削除に関するサービスフロー接続及び前記サービスフロー動作パラメータを含むサービスフロー設定要求メッセージを受信する受信部と、前記サービスフロー設定要求メッセージに対するサービスフロー設定応答メッセージを送信する送信部と、前記サービスフロー接続及び動作パラメータの設定を行い、前記サービスフローの動作のための前記スリープモードのスリープ周期及びスリープモード動作を更新する制御部とを含み、前記制御部は、前記サービスの追加、変更、又は削除に関するサービスフロー接続の設定時に前記スリープモードのスリープ周期を更新することを特徴とする。
【００１５】
本発明によれば、端末のスリープモード動作において、スリープモード動作中の端末のサービスが変更された場合も、サービスフローの変更のためのメッセージによりスリープ周期情報の更新が行われるので、従来のシグナリングオーバーヘッド発生の問題を解決することができる。
【００１６】
また、チャネル状況がよくないため、スリープモード動作の更新のためのメッセージが、ＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）などのデータ再送により正常な更新動作時点以降に受信された場合も、本発明が提供する端末のスリープモード更新動作方法によりスリープモード動作を更新することができる。
本発明は、例えば以下の項目を提供する。
（項目１）
スリープモードのリッスン区間で、サービスフローの設定のためのサービスフローパラメータ及び前記サービスフローの設定によるスリープモードの変更のためのスリープ周期ＩＤ（ＳＣＩＤ）を含むサービスフロー設定要求（ＤＳｘ−ＲＥＱ）メッセージを基地局から受信する段階と、
前記ＳＣＩＤを含むサービスフロー設定応答（ＤＳｘ−ＲＳＰ）メッセージを送信する段階と、
前記サービスフロー識別子に基づいて前記サービスフローを設定し、ＳＣＩＤを前記ＳＣＩＤに変更してスリープモード動作を更新する段階と
を含むことを特徴とする端末のスリープモード動作更新方法。
（項目２）
前記サービスフロー設定要求メッセージは、新しいサービスフローの追加のためのサービスフロー追加要求メッセージ、又は現在のサービスフローの変更のためのサービスフロー変更要求メッセージであり、
前記サービスフロー設定要求メッセージは、前記追加又は変更されるサービスフローのトラフィック特性及びスケジューリング要求条件が含まれるサービスフローパラメータをさらに含むことを特徴とする項目１に記載の端末のスリープモード動作更新方法。
（項目３）
前記サービスフロー設定要求メッセージ又は前記サービスフロー設定応答メッセージは、前記更新されたスリープモード動作の開始フレーム情報をさらに含むことを特徴とする項目１に記載の端末のスリープモード動作更新方法。
（項目４）
前記スリープモード動作を更新する段階においては、前記サービスフロー設定要求メッセージ又は前記サービスフロー設定応答メッセージが送受信された時点のスリープ区間を初期スリープ周期にリセットすることを特徴とする項目１に記載の端末のスリープモード動作更新方法。
（項目５）
前記サービスフロー設定要求メッセージは、現在のサービスフローの削除のための要求メッセージであり、
前記サービスフロー識別子は、削除対象サービスフロー識別子であることを特徴とする項目１に記載の端末のスリープモード動作更新方法。
（項目６）
スリープモードのリッスン区間で、サービスフローの設定のためのサービスフロー識別子を含むサービスフロー設定要求（ＤＳｘ−ＲＥＱ）メッセージを基地局から受信する段階と、
前記スリープ周期ＩＤを含むサービスフロー設定応答（ＤＳｘ−ＲＳＰ）メッセージを送信する段階と、
前記サービスフローの設定によるスリープモードの更新のためのスリープ周期ＩＤ（ＳＣＩＤ）を含むサービスフロー設定確認（ＤＳｘ−ＡＣＫ）メッセージを前記基地局から受信する段階と、
前記サービスフロー識別子に基づいて前記サービスフローを設定し、予め割り当てられたスリープ周期ＩＤを前記スリープ周期ＩＤに変更してスリープモード動作を更新する段階と
を含むことを特徴とする端末のスリープモード動作更新方法。
（項目７）
前記スリープモードの更新のためのスリープ周期ＩＤは、スリープ制御拡張ヘッダに含まれて送信されることを特徴とする項目６に記載の端末のスリープモード動作更新方法。
（項目８）
前記スリープ制御拡張ヘッダは、前記更新されたスリープモード動作の開始フレーム情報をさらに含むことを特徴とする項目７に記載の端末のスリープモード動作更新方法。
（項目９）
前記サービスフロー設定要求メッセージは、新しいサービスフローの追加のためのサービスフロー追加要求メッセージ、又は現在のサービスフローの変更のためのサービスフロー変更要求メッセージであり、
前記サービスフロー設定要求メッセージは、前記追加又は変更されるサービスフローのトラフィック特性及びスケジューリング要求条件が含まれるサービスフローパラメータをさらに含むことを特徴とする項目６に記載の端末のスリープモード動作更新方法。
（項目１０）
前記サービスフロー設定要求メッセージは、現在のサービスフローの削除のための要求メッセージであり、
前記サービスフロー識別子は、削除対象サービスフロー識別子であることを特徴とする項目６に記載の端末のスリープモード動作更新方法。
（項目１１）
スリープモードに移行するためのスリープモード要求メッセージを基地局に送信する段階と、
前記基地局からスリープモード動作パラメータを含むスリープモード応答メッセージを受信する段階と、
前記スリープモード動作パラメータに基づいて、前記スリープモードに状態変更する段階と、
前記基地局からスリープ周期ＩＤ及びスリープモード更新動作の開始フレーム情報を含むスリープモード更新情報を受信する段階と、
前記スリープモード更新情報に基づいて、前記スリープモード動作を更新する段階とを含み、
前記スリープモード更新動作開始フレームが前記スリープモード更新情報を受信した以前のフレームの場合、前記スリープモード更新動作の開始フレーム情報の時点でスリープ周期を更新することを特徴とする端末のスリープモード動作更新方法。
（項目１２）
前記スリープモード更新情報は、非要求スリープモード応答メッセージ又はダウンリンクスリープ制御拡張ヘッダに含まれて受信されることを特徴とする項目１１に記載の端末のスリープモード動作更新方法。
（項目１３）
スリープモードのリッスン区間で、サービスの追加、変更、又は削除に関するサービスフロー接続及び前記サービスフローの動作パラメータを含むサービスフロー設定要求メッセージを受信する受信部と、
前記サービスフロー設定要求メッセージに対するサービスフロー設定応答メッセージを送信する送信部と、
前記サービスフロー接続及び動作パラメータの設定を行い、前記サービスフローの動作のための前記スリープモードのスリープ周期及びスリープモード動作を更新する制御部とを含み、
前記制御部は、前記サービスの追加、変更、又は削除に関するサービスフロー接続の設定時に前記スリープモードのスリープ周期を更新することを特徴とするスリープモード動作装置。
（項目１４）
前記サービスフロー設定要求メッセージ又は前記サービスフロー設定応答メッセージは、前記制御部のスリープ周期の更新のためのスリープ周期ＩＤ（ＳＣＩＤ）及び前記更新されたスリープモード動作の開始フレーム情報を含むことを特徴とする項目１３に記載のスリープモード動作装置。
（項目１５）
前記受信部は、前記制御部のスリープ周期の更新のためのスリープ周期ＩＤ（ＳＣＩＤ）及び前記更新されたスリープモード動作の開始フレーム情報を含むサービスフロー設定確認メッセージを受信し、
前記制御部は、前記スリープ周期ＩＤ（ＳＣＩＤ）及び前記更新されたスリープモード動作の開始フレーム情報に基づいて、前記スリープ周期を更新することを特徴とする項目１３に記載のスリープモード動作装置。
（項目１６）
スリープモードに移行するためのスリープモード要求メッセージを基地局に送信する段階と、
前記基地局からスリープモード動作パラメータを含むスリープモード応答メッセージを受信する段階と、
前記スリープモード動作パラメータに基づいて、前記スリープモードに状態変更する段階と、
実行中のサービスフローの特性に変化が生じた場合にこれを前記基地局に報告する段階と、
前記基地局からスリープ周期ＩＤを含むスリープモード更新情報を、非要求スリープモード応答メッセージ又はスリープ制御拡張ヘッダ（Ｓｌｅｅｐ  Ｃｏｎｔｒｏｌ  Ｅｘｔｅｎｄｅｄ  Ｈｅａｄｅｒ）により受信する段階と、
前記スリープモード更新情報に基づいて、前記スリープモード動作を更新する段階と
を含むことを特徴とする端末のスリープモード動作更新方法。
【図面の簡単な説明】
【００１７】
本発明の理解を助けるために提供されて組み込まれ、本明細書の一部を構成する添付図面は、本発明の実施形態を示すと共に本発明の原理を説明する。
【図１】一般的なスリープモード動作を示す図である。
【図２】スリープモード動作中の端末に新しいサービスが追加される場合におけるスリープモード動作更新過程を示す構成図である。
【図３】本発明の一実施形態によるスリープモード動作更新過程を順次示す構成図である。
【図４】本発明の他の実施形態によるスリープモード動作更新過程を順次示す構成図である。
【図５】本発明のさらに他の実施形態によるスリープモード動作更新過程を順次示す構成図である。
【図６】本発明の一実施形態によるスリープモード動作を順次示す図である。
【図７】基地局がリッスン区間でスリープ周期を変更するためにＳＣＩＤを更新することを示す図である。
【図８】端末の報告により基地局がリッスン区間でスリープ周期を変更するためにＳＣＩＤを更新することを示す図である。
【図９】本発明の一実施形態による端末がスリープモード更新情報を開始フレーム時点以降に受信した場合におけるスリープモード更新動作を示す図である。
【図１０】本発明の他の実施形態による端末がスリープモード更新情報を開始フレーム時点以降に受信した場合におけるスリープモード更新動作を示す図である。
【図１１】本発明の一実施形態によるスリープモード動作装置を概略的に示すブロック図である。
【発明を実施するための形態】
【００１８】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。
【００１９】
以下、端末という用語が用いられるが、端末は、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）とも呼ばれる。また、端末は、携帯電話、ＰＤＡ、スマートフォン、ノートブックコンピュータなどのように通信機能を備えた携帯可能な機器でもよく、ＰＣ、車両搭載装置などのように携帯不可能な機器でもよい。
【００２０】
図１は、一般的なスリープモード動作を示す図である。
【００２１】
端末は、ノーマルモードの状態で送受信するデータトラフィックが存在しなくなると、スリープモードへの移行を要求するＳＬＰ−ＲＥＱメッセージを基地局に送信し（Ｓ１０１）、基地局からスリープ周期やリッスン区間などのスリープパラメータを含むＳＬＰ−ＲＳＰメッセージを受信し（Ｓ１０３）、スリープモードに状態変更する。
【００２２】
前記スリープモードは、データ受信が不可能なスリープ区間（ｓｌｅｅｐ  ｗｉｎｄｏｗ；  ＳＷ）とデータ受信が可能なリッスン区間（ｌｉｓｔｅｎｉｎｇ  ｗｉｎｄｏｗ；  ＬＷ）とを含む。
【００２３】
端末は、リッスン区間（ＬＷ）では、パワーを上げてデータトラフィックの送受信が可能な状態に変更し、スリープ区間（ＳＷ）では、パワーを下げて電力低減（パワーセーブ）モードに移行する。
【００２４】
端末は、最初にスリープモードに状態変更する際に、スリープ区間（ＳＷ１）のみを含むスリープ周期（ＳＣ１）を適用してスリープモードを動作させる。最初のスリープ周期（ＳＣ１）が終了した後、２番目のスリープ周期からは、リッスン区間（ＬＷ２）及びスリープ区間（ＳＷ２）を含むスリープ周期（ＳＣ２）を適用してスリープモードを動作させる。
【００２５】
２番目のスリープ周期（ＳＣ２）において、端末は、リッスン区間（ＬＷ２）で基地局から否定的な指示を含むＴＲＦ−ＩＮＤメッセージを受信すると（Ｓ１０５）、ダウンリンクで伝送されるデータトラフィックが存在しないと判断し、現在のスリープ周期を２倍に増加させる。
【００２６】
２倍に増加したスリープ周期（ＳＣ２）が終了した後、端末は、次のスリープ周期（ＳＣ３）のリッスン区間（ＬＷ３）で肯定的な指示を含むＴＲＦ−ＩＮＤメッセージを受信すると（Ｓ１０７）、発生したデータトラフィックを受信できるように、リッスン区間を拡張（ＥＬＷ３）して基地局からデータトラフィックを受信し（Ｓ１０９）、再びスリープ区間（ＳＷ３）に移行してスリープモード動作を行う。ここで、３番目のスリープ周期（ＳＣ３）は、図示のように、リッスン区間（ＬＷ３）、拡張されたリッスン区間（ＥＬＷ３）、及びスリープ区間（ＳＷ３）を含み、初期スリープ周期（ＳＣ１）に初期化（リセット）される。
【００２７】
図１に示すような端末のスリープモード動作中に、新しいサービスが追加されたり、サービスの変更又はサービスの除去が発生すると、それに応じてスリープ周期ＩＤ及びスリープモード動作が更新されなければならない。
【００２８】
以下、スリープモード動作の更新のためのスリープ周期ＩＤ（以下、「ＳＣＩＤ」という）更新方法を説明する。端末の新しいサービスの追加、変更、又は除去のためのメッセージは、それぞれ動的サービス追加（Ｄｙｎａｍｉｃ  Ｓｅｒｖｉｃｅ  Ａｄｄ；  ＤＳＡ）メッセージ、動的サービス変更（Ｄｙｎａｍｉｃ  Ｓｅｒｖｉｃｅ  Ｃｈａｎｇｅ；  ＤＳＣ）メッセージ、又は動的サービス除去（Ｄｙｎａｍｉｃ  Ｓｅｒｖｉｃｅ  Ｄｅｌｅｔｅ；  ＤＳＤ）メッセージと定義され、以下、前記３つのメッセージをまとめてサービスフロー設定メッセージ（ＤＳｘメッセージ）という。
【００２９】
なお、以下、説明の便宜上、サービスフロー設定メッセージ（ＤＳｘメッセージ）のうち動的サービス追加メッセージを代表例として説明し、サービスの変更及びサービスの除去の場合もサービスの追加と同様にＳＣＩＤ更新方法を適用できることを予め明らかにしておく。
【００３０】
図２は、スリープモード動作中の端末に新しいサービスが追加される場合におけるスリープモード動作更新過程を示すフローチャートである。サービスフロー設定メッセージ（ＤＳｘメッセージ）は、基地局だけでなく、端末が先に開始することもでき、以下、説明の便宜上、基地局が開始する場合を例に説明する。
【００３１】
基地局は、現在スリープモード状態にある端末に新しいサービスを追加する場合、動的サービス追加（ＤＳＡ−ＲＥＱ）メッセージを送信する（Ｓ２０１）。前記動的サービス追加（ＤＳＡ−ＲＥＱ）メッセージは、端末が要求して基地局に送信することもできるが、説明の便宜上、図２においては基地局が要求する場合を代表的な実施形態として説明する。
【００３２】
前記ＤＳＡ−ＲＥＱメッセージには、新しいサービスフローに対する接続設定及びサービスフローパラメータが定義されている。
【００３３】
端末は、基地局からＤＳＡ−ＲＥＱメッセージを受信し、新しいサービスフローに対するパラメータを設定し、動的サービス追加メッセージに対する応答（ＤＳＡ−ＲＳＰ）メッセージを基地局に送信する（Ｓ２０３）。
【００３４】
基地局は、端末から動的サービス追加応答メッセージを受信した後、これに対する確認（ＤＳＡ−ＡＣＫ）メッセージを端末に送信する（Ｓ２０５）。
【００３５】
このような過程により新しいサービスフローの生成による接続設定が行われる。
【００３６】
その後、端末は、新たに追加されたサービスフローを反映したＳＣＩＤの更新のためのスリープモード要求メッセージ（ＳＬＰ−ＲＥＱ）を基地局に送信する（Ｓ２０７）。
【００３７】
基地局は、スリープモードの更新のためのＳＣＩＤ更新情報を含む応答メッセージ（ＳＬＰ−ＲＳＰ）を端末に送信する（Ｓ２０９）。
【００３８】
端末は、基地局からＳＬＰ−ＲＳＰメッセージを受信してＳＣＩＤを更新し、更新されたスリープモードで動作をする（Ｓ２１１）。
【００３９】
図２のスリープモード更新動作は、新しいサービスフローに対する接続設定が行われた後、当該サービスフローを反映したスリープモード動作の更新のためにＳＣＩＤ更新要求及び応答のためのシグナリング過程が別途必要であるので、前述したようにシグナリングオーバーヘッドが発生するという問題がある。
【００４０】
図３は、本発明の一実施形態によるスリープモード動作更新過程を順次示す構成図である。
【００４１】
基地局は、新しいサービスの追加、又は現在のサービスの変更もしくは除去のために、サービスフロー設定要求（ＤＳｘ−ＲＥＱ）メッセージを端末に送信する（Ｓ３０１）。
【００４２】
前記サービスフロー設定要求メッセージは、新しいサービスフローの追加のためのサービスフロー追加要求の場合、ＤＳＡ−ＲＥＱメッセージであり、現在のサービスフローの変更のためのサービスフロー変更要求の場合、ＤＳＣ−ＲＥＱメッセージであり、前記サービスフロー設定要求メッセージは、前記追加又は変更されるサービスフローのトラフィック特性及びスケジューリング要求条件が含まれるサービスフローパラメータを含む。
【００４３】
ここで、サービスフローパラメータを変更する動的サービス変更要求（ＤＳｘ−ＲＥＱ）メッセージには、サービスフローの追加又は変更によるスリープモード動作の更新のためのＳＣＩＤ更新情報が含まれる。
【００４４】
前記サービスフロー設定要求メッセージは、現在のサービスフローの削除のための要求の場合、ＤＳＤ−ＲＥＱメッセージであり、ＤＳＤ−ＲＥＱメッセージには、削除対象サービスフロー情報が含まれる。
【００４５】
従って、前記ＤＳｘ−ＲＥＱメッセージにより、サービスフローの追加、変更、又は削除の要求と共に、予め割り当てられたＳＣＩＤを更新することができる。
【００４６】
つまり、別途のＳＣＩＤ更新のためのシグナリング手順を行うのではなく、ＳＣＩＤ及び開始フレーム番号（Ｓｔａｒｔ  Ｆｒａｍｅ  Ｎｕｍｂｅｒ）を含むＤＳｘ−ＲＥＱメッセージにより送信することにより、さらに簡素化したシグナリング手順でスリープモード動作情報を更新することができる。
【００４７】
下記表１は、ＳＣＩＤ更新及び更新されたスリープモード開始情報を含むＤＳｘ−ＲＥＱメッセージを示す。
【００４８】
【表１】
0005539510.tif 000002
【００４９】
表１を参照すると、ＤＳｘ−ＲＥＱメッセージのＯｐｅｒａｔｉｏｎパラメータが「０ｂ００」に設定された場合、現在のＳＣＩＤをＤＳｘ−ＲＥＱメッセージにより新たに割り当てられるＳＣＩＤにスイッチングする。
【００５０】
ＤＳｘ−ＲＥＱメッセージのＳＣＩＤパラメータは、予め割り当てられたＳＣＩＤとスイッチングされるＳＣＩＤ更新パラメータに該当する。また、Ｓｔａｒｔ  Ｆｒａｍｅ  Ｎｕｍｂｅｒパラメータは、更新されたスリープモード周期の開始フレーム情報を示す。
【００５１】
基地局からサービスフロー設定要求（ＤＳｘ−ＲＥＱ）メッセージを受信した端末は、サービスフロー接続及び動作パラメータを設定し、サービスフロー設定応答（ＤＳｘ−ＲＳＰ）メッセージを基地局に送信する（Ｓ３０３）。
【００５２】
下記表２は、ＳＣＩＤ更新及び更新されたスリープモード開始情報を含むＤＳｘ−ＲＳＰメッセージを示す。
【００５３】
【表２】
0005539510.tif 000003
【００５４】
表２を参照すると、ＤＳｘ−ＲＳＰメッセージのＲｅｓｐｏｎｓｅ  Ｃｏｄｅパラメータが「０ｂ００」に設定された場合は、ＤＳｘ−ＲＥＱメッセージのＳＣＩＤスイッチング要求を承諾することを示し、Ｒｅｓｐｏｎｓｅ  Ｃｏｄｅパラメータが「０ｂ０１」に設定された場合は、ＤＳｘ−ＲＥＱメッセージのＳＣＩＤスイッチング要求を拒否することを示す。
【００５５】
ＤＳｘ−ＲＳＰメッセージのＳＣＩＤパラメータは、予め割り当てられたＳＣＩＤとスイッチングされるＳＣＩＤ更新パラメータに該当する。また、Ｓｔａｒｔ  Ｆｒａｍｅ  Ｎｕｍｂｅｒパラメータは、更新されたスリープモード周期の開始フレーム情報を示す。
【００５６】
以上説明したように、表１及び表２のＤＳｘ−ＲＥＱメッセージ及びＤＳｘ−ＲＳＰメッセージによりＳＣＩＤを更新する場合、当該メッセージには、既存のＳＣＩＤとスイッチングされるＳＣＩＤ、及び当該ＳＣＩＤを適用するフレーム番号を示すＳｔａｒｔ  Ｆｒａｍｅ  Ｎｕｍｂｅｒが含まれる。
【００５７】
その後、端末は、予め割り当てられたＳＣＩＤを新たに割り当てられたＳＣＩＤにスイッチングし、スリープモード動作を更新する（Ｓ３１１）。
【００５８】
本発明の他の実施形態によれば、ＤＳｘ−ＲＥＱ／ＲＳＰメッセージには、新しいスリープ周期が適用される開始フレームを示す「Ｓｔａｒｔ  Ｆｒａｍｅ  Ｎｕｍｂｅｒ」に関する情報がなく、ＳＣＩＤのみが含まれ、この場合、端末は、更新されるＳＣＩＤを含むＤＳｘ−ＲＥＱ／ＲＳＰメッセージを受信した瞬間、スリープ周期を初期スリープ周期にリセットし、更新されたスリープモードを動作させることもできる。
【００５９】
図４は、本発明の他の実施形態によるスリープモード動作更新過程を順次示す構成図であり、端末が新しいサービスの追加、サービスの変更、又はサービスの除去を基地局に要求するケースに該当する。
【００６０】
端末は、新しいサービスの追加、又は現在のサービスの変更もしくは除去のために、サービスフロー設定要求（ＤＳｘ−ＲＥＱ）メッセージを基地局に送信する（Ｓ４０１）。
【００６１】
前記サービスフロー設定要求メッセージは、新しいサービスフローの追加のためのサービスフロー追加要求の場合、ＤＳＡ−ＲＥＱメッセージであり、現在のサービスフローの変更のためのサービスフロー変更要求の場合、ＤＳＣ−ＲＥＱメッセージであり、前記サービスフロー設定要求メッセージは、前記追加又は変更されるサービスフローのトラフィック特性及びスケジューリング要求条件が含まれるサービスフローパラメータを含む。
【００６２】
ここで、サービスフローパラメータを変更する動的サービス変更要求（ＤＳｘ−ＲＥＱ）メッセージには、サービスフローの追加又は変更によるスリープモード動作の更新のためのＳＣＩＤ更新情報が含まれる。
【００６３】
前記サービスフロー設定要求メッセージは、現在のサービスフローの削除のための要求の場合、ＤＳＤ−ＲＥＱメッセージであり、ＤＳＤ−ＲＥＱメッセージには、削除対象サービスフロー情報が含まれる。
【００６４】
従って、前記ＤＳｘ−ＲＥＱメッセージにより、サービスフローの追加、変更、又は削除の要求と共に、予め割り当てられたＳＣＩＤを更新することができる。
【００６５】
端末からサービスフロー設定要求（ＤＳｘ−ＲＥＱ）メッセージを受信した基地局は、ＳＣＩＤ更新パラメータを含むサービスフロー設定応答（ＤＳｘ−ＲＳＰ）メッセージを端末に送信する（Ｓ４０３）。
【００６６】
その後、端末は、予め割り当てられたＳＣＩＤを新たに割り当てられたＳＣＩＤにスイッチングし、スリープモード動作を更新する（Ｓ３１１）。
【００６７】
図５は、本発明のさらに他の実施形態によるスリープモード動作更新過程を順次示す構成図である。
【００６８】
基地局は、新しいサービスフローに対する接続設定及びサービスフローパラメータが定義されている動的サービス追加要求（ＤＳＡ−ＲＥＱ）メッセージを端末に送信する（Ｓ５０１）。前記動的サービス追加要求（ＤＳＡ−ＲＥＱ）メッセージは、端末が要求して基地局に送信することもできるが、説明の便宜上、図５においては基地局が要求する場合を代表的な実施形態として説明する。
【００６９】
基地局から動的サービス追加要求メッセージを受信した端末は、新しいサービスフローに対するパラメータを設定し、動的サービス追加応答（ＤＳＡ−ＲＳＰ）メッセージを基地局に送信する（Ｓ５０３）。
【００７０】
動的サービス追加応答（ＤＳＡ−ＲＳＰ）メッセージを受信した基地局は、動的サービス追加確認（ＤＳＡ−ＡＣＫ）メッセージを端末に送信する（Ｓ５０５）。ここで、動的サービスの追加によるＳＣＩＤ更新のために、下記表３のようなＳＣＩＤ更新パラメータをダウンリンクスリープ制御拡張ヘッダ（ＤＬ  Ｓｌｅｅｐ  Ｃｏｎｔｒｏｌ  Ｅｘｔｅｎｄｅｄ  Ｈｅａｄｅｒ）に含めてもよい。
【００７１】
【表３】
0005539510.tif 000004
【００７２】
表３において、「Ｏｐｅｒａｔｉｏｎ」パラメータは、スリープモード動作に関するものであって、スリープモード動作の終了及び変更、リッスン区間の拡張及び終了を示す。
【００７３】
端末の動的サービスの追加によるＳＣＩＤ更新のために、基地局は、ダウンリンクスリープ制御拡張ヘッダのＯｐｅｒａｔｉｏｎパラメータを「０ｂ０１」に設定して端末に送信する。
【００７４】
ここで、更新されるスリープモード動作の開始フレーム情報は、「Ｓｔａｒｔ  Ｆｒａｍｅ  Ｎｕｍｂｅｒ」パラメータにより、新しいスリープ周期が適用される開始フレームを示す。
【００７５】
表１において定義されたダウンリンクスリープ制御拡張ヘッダによりＳＣＩＤ更新情報を受信した端末は、当該ＳＣＩＤ更新活性化時点（Ｓｔａｒｔ  Ｆｒａｍｅ  Ｎｕｍｂｅｒ）に関する開始フレーム情報に基づいて、当該フレームで更新動作を活性化する（Ｓ３１１）。
【００７６】
図５の実施形態を参照すると、図２の実施形態と比較して、新しいサービスフローの生成過程で割り当てられる送信接続に対してさらなるメッセージ送受信手順を省略してＳＣＩＤを定義することにより、全体的なシグナリングオーバーヘッドを減らすことができる。
【００７７】
図６は、本発明の一実施形態によるスリープモード動作を順次示す図である。
【００７８】
端末は、ノーマルモード又はアクティブモードで基地局との通信を行っていて、基地局と送受信するトラフィックが存在しなくなると、スリープモードに移行するためのＳＬＰ−ＲＥＱ（Ｓｌｅｅｐ−Ｒｅｑｕｅｓｔ）メッセージを基地局に送信する（Ｓ６０１）。
【００７９】
基地局は、ＳＬＰ−ＲＥＱメッセージを端末から受信し、これに対する応答としてＳＬＰ−ＲＳＰ（Ｓｌｅｅｐ−Ｒｅｓｐｏｎｓｅ）メッセージを端末に送信する（Ｓ６０３）。
【００８０】
前記ＳＬＰ−ＲＳＰメッセージは、端末のスリープモード動作のためのスリープ周期やリッスン区間などのスリープモード動作パラメータ（スリープパラメータ）を含む。
【００８１】
場合によっては、端末のスリープモード移行要求メッセージ（Ｓ６０１）がなくても、基地局が直接非要求ＳＬＰ−ＲＳＰメッセージを端末に送信して、端末がスリープモードに移行するように命令することもできる。
【００８２】
基地局からＳＬＰ−ＲＳＰメッセージを受信した端末は、スリープモード動作パラメータに基づいてスリープモードの状態に切り替えてスリープモード動作を行う。
【００８３】
スリープモードにおいて、基地局は、リッスン区間（ＬＷ）で、端末に送信するトラフィックが存在するか否かを示すために、ＴＲＦ−ＩＮＤ（Ｔｒａｆｆｉｃ−Ｉｎｄｉｃａｔｉｏｎ）メッセージを端末に送信する（Ｓ６０５）。
【００８４】
前記トラフィックが存在するか否かを示すＴＲＦ−ＩＮＤメッセージは、トラフィックが存在する場合に肯定的な指示が設定され、トラフィックが存在しない場合に否定的な指示が設定される。
【００８５】
端末は、２番目のスリープ周期（ＳＣ２）のリッスン区間（ＬＷ２）で否定的な指示を含むＴＲＦ−ＩＮＤメッセージを基地局から受信すると（Ｓ６０５）、ダウンリンクで送信されるデータトラフィックが存在しないと判断し、現在のスリープ周期を２倍に増加させる。
【００８６】
２倍に増加したスリープ周期（ＳＣ２）が終了した後、端末は、次のスリープ周期（ＳＣ３）のリッスン区間（ＬＷ３）で新しいサービスの追加、変更、又は除去を要求するサービスフロー設定要求（ＤＳｘ−ＲＥＱ）メッセージを基地局から受信する（Ｓ６０７）。
【００８７】
前記サービスフロー設定要求（ＤＳｘ−ＲＥＱ）メッセージは下記表４の通りである。
【００８８】
【表４】
0005539510.tif 000005
【００８９】
表４のＤＳｘ−ＲＥＱメッセージには、更新されてスイッチングされるＳＣＩＤ情報のみが含まれ、更新されるスリープモード動作の開始時点に関する情報は含まれていない。
【００９０】
この場合、端末は、ＤＳｘ−ＲＥＱメッセージを受信したＬＷの開始時点（６１０）から新しいスリープモード動作を適用する。これにより、３番目のスリープ周期（ＳＣ３）は初期スリープモード（ＳＣ１）にリセットされる。
【００９１】
このように、スリープモード更新指示にＳｔａｒｔ  Ｆｒａｍｅ  Ｎｕｍｂｅｒに関する情報が含まれていなくても、端末は、スリープ周期を初期スリープ周期に設定してスリープモード更新動作を無理なく行うことができる。
【００９２】
同様に、ＤＳｘ−ＲＳＰメッセージによりＳＣＩＤを更新する際にも、下記表５のように、ＤＳｘ−ＲＳＰメッセージには、更新されてスイッチングされるＳＣＩＤ情報のみが含まれ、更新されるスリープモード動作の開始時点に関する情報は含まれていない場合、端末は、ＤＳｘ−ＲＳＰメッセージを送信したＬＷの開始時点で初期スリープモード（ＳＣ１）にリセットすることにより、ＤＳｘ−ＲＳＰにＳｔａｒｔ  Ｆｒａｍｅ  Ｎｕｍｂｅｒが含まれていなくても、スリープ周期を初期スリープ周期に設定してスリープモードを無理なく行うことができる。
【００９３】
【表５】
0005539510.tif 000006
【００９４】
また、スリープ制御拡張ヘッダによりスリープモード動作を更新する際にも、下記表６のように、スリープ制御拡張ヘッダにＳｔａｒｔ  Ｆｒａｍｅ  Ｎｕｍｂｅｒが含まれていない場合、端末は、スイッチングするＳＣＩＤを含むスリープ制御拡張ヘッダを受信した瞬間、スリープ周期を初期スリープ周期にリセットしてスリープモード動作を更新する。
【００９５】
【表６】
0005539510.tif 000007
【００９６】
以下、基地局が端末のリッスン区間で新しいスリープモードパラメータを端末に適用するためにＳＣＩＤ及びＳｔａｒｔ  Ｆｒａｍｅ  Ｎｕｍｂｅｒを含むスリープモードメッセージを送信した場合、端末がＳｔａｒｔ  Ｆｒａｍｅ  Ｎｕｍｂｅｒ以降に前記スリープモードパラメータの変更のためのメッセージを受信したケースにおけるスリープモード更新動作を説明する。
【００９７】
図７は、基地局がリッスン区間でスリープ周期を変更するためにＳＣＩＤを更新することを示す図である。
【００９８】
図７に示すように、端末のスリープモード動作を更新する必要が生じた場合、例えば実行中のサービスフローのサービス特性などに変化が生じた場合、基地局は、端末のＬＷ区間で非要求ＳＬＰ−ＲＳＰ又はダウンリンクスリープ制御拡張ヘッダを送信する（Ｓ７０１）。また、このようなサービス特性の変化に関して端末から報告された場合も、基地局は、これに対する応答として、スリープモード動作の更新のために非要求ＳＬＰ−ＲＳＰ又はダウンリンクスリープ制御拡張ヘッダを端末に送信することができる。
【００９９】
端末は、ＬＷ区間で非要求ＳＬＰ−ＲＳＰ又はダウンリンクスリープ制御拡張ヘッダを受信し、新しいＳＣＩＤ値及びスリープモード更新動作を適用する開始フレームに関する開始フレーム情報に基づいて、開始フレーム地点で新しいスリープ周期を適用する（Ｓ７０３）。前記開始フレーム情報は、Ｓｔａｒｔ  Ｆｒａｍｅ  Ｎｕｍｂｅｒ又はＳｔａｒｔ  Ｆｒａｍｅ  Ｏｆｆｓｅｔパラメータから知ることができ、Ｓｔａｒｔ  Ｆｒａｍｅ  Ｎｕｍｂｅｒ又はＳｔａｒｔ  Ｆｒａｍｅ  Ｏｆｆｓｅｔは、スリープモード動作が新たに開始される開始フレームを示すビット情報であって、実質的に同じ情報に該当する。
【０１００】
もし、受信された非要求ＳＬＰ−ＲＳＰ又はダウンリンクスリープ制御拡張ヘッダに開始フレーム情報（Ｓｔａｒｔ  Ｆｒａｍｅ  Ｎｕｍｂｅｒ又はＳｔａｒｔ  Ｆｒａｍｅ  Ｏｆｆｓｅｔ）が含まれていない場合、端末は、スイッチングするＳＣＩＤを含む非要求ＳＬＰ−ＲＳＰ又はダウンリンクスリープ制御拡張ヘッダを受信した瞬間、スリープ周期を初期スリープ周期にリセットしてスリープモード動作を更新する。
【０１０１】
その後、端末は、非要求ＳＬＰ−ＲＳＰ又はダウンリンクスリープ制御拡張ヘッダの受信に対する確認（ＡＣＫ）メッセージを基地局に送信する（Ｓ７０５）。
【０１０２】
図８は、端末において実行中のサービスフローのサービス特性などに変化が生じた場合、端末は、このようなサービス特性の変化に関して基地局に報告し（Ｓ８０１）、基地局は、これに対する応答として、スリープモード動作の更新のために非要求ＳＬＰ−ＲＳＰ又はダウンリンクスリープ制御拡張ヘッダを端末に送信する実施形態を示す図である。
【０１０３】
図９は、基地局がリッスン区間でスリープ周期を変更するために非要求ＡＡＩ＿ＳＬＰ−ＲＳＰ又はダウンリンクスリープ制御拡張ヘッダを端末に送信したが（Ｓ９０１）、端末が新しいスリープ周期パラメータを適用する開始フレーム（Ｓｔａｒｔ  Ｆｒａｍｅ  Ｎｕｍｂｅｒ又はＳｔａｒｔ  Ｆｒａｍｅ  Ｏｆｆｓｅｔ）時点以降に前記非要求ＳＬＰ−ＲＳＰ又はダウンリンクスリープ制御拡張ヘッダを受信した場合の実施形態を示す。
【０１０４】
すなわち、端末は、Ｓｔａｒｔ  Ｆｒａｍｅ  Ｎｕｍｂｅｒ以降に非要求ＳＬＰ−ＲＳＰ又はダウンリンクスリープ制御拡張ヘッダを受信したとしても、Ｓｔａｒｔ  Ｆｒａｍｅ  Ｎｕｍｂｅｒ地点から新しいスリープ周期を適用してスリープモードを動作させる（Ｓ９０３）。
【０１０５】
図１０は、基地局がリッスン区間でスリープ周期を変更するために非要求ＳＬＰ−ＲＳＰ又はダウンリンクスリープ制御拡張ヘッダを端末に送信したが、端末が新しいスリープモードパラメータを適用するＳｔａｒｔ  Ｆｒａｍｅ  Ｎｕｍｂｅｒ時点以降に前記非要求ＳＬＰ−ＲＳＰ又はダウンリンクスリープ制御拡張ヘッダを受信した場合の他の実施形態である。端末のスリープモード動作を更新する必要が生じた場合、基地局は、端末のＬＷ区間で非要求ＳＬＰ−ＲＳＰ又はダウンリンクスリープ制御拡張ヘッダを送信する（Ｓ１０）。
【０１０６】
もし、チャネル状況などにより受信データにエラーが発生した場合は、図示のように、端末は、これに対するＮＡＣＫメッセージを送信して（Ｓ２０）データ再送を要求し、その後、ＨＡＲＱなどのデータ再送過程を行い（Ｓ３０、Ｓ４０、Ｓ５０、Ｓ６０）、４番目の送信時点で正常に基地局の非要求ＳＬＰ−ＲＳＰ又はダウンリンクスリープ制御拡張ヘッダを受信する（Ｓ７０）。
【０１０７】
ここで、端末は、Ｓｔａｒｔ  Ｆｒａｍｅ  Ｎｕｍｂｅｒ以降に非要求ＳＬＰ−ＲＳＰ又はダウンリンクスリープ制御拡張ヘッダを受信している。
【０１０８】
この場合、図示のように、端末は、リッスン区間が拡張（１００１）されたものとして処理することにより、デフォルトリッスン区間（１００２）から外れ、そして、Ｓｔａｒｔ  Ｆｒａｍｅ  Ｎｕｍｂｅｒ以降に基地局から送信された非要求ＳＬＰ−ＲＳＰ又はダウンリンクスリープ制御拡張ヘッダを受信したとしても、非要求ＳＬＰ−ＲＳＰ又はダウンリンクスリープ制御拡張ヘッダの開始フレームから新しいスリープ周期を適用し、更新されたスリープモードを動作させる（Ｓ８０）。
【０１０９】
その後、端末は、スリープモード更新確認メッセージを基地局に送信する（Ｓ９０）。
【０１１０】
下記表７は、本発明の一実施形態によるリッスン区間で基地局が新しいスリープモードパラメータを適用するために端末に送信するダウンリンクスリープ制御拡張ヘッダのタイプを示すものである。
【０１１１】
【表７】
0005539510.tif 000008
【０１１２】
下記表８は、本発明の一実施形態によるリッスン区間で基地局が新しいスリープモードパラメータを適用するために端末に送信する非要求ＳＬＰ−ＲＳＰメッセージを示すものである。
【０１１３】
【表８】
0005539510.tif 000009
【０１１４】
以上説明したように、データ再送過程によりスリープモード更新メッセージが更新動作開始時点以降に正常に受信されたとしても、データ受信以前の時点からスリープモードが動作するものとして処理することにより、端末と基地局間のデータ送受信同期が外れることを防止することができる。
【０１１５】
図１１は、本発明の一実施形態によるスリープモード動作装置を概略的に示すブロック図である。
【０１１６】
同図に示すように、スリープモード動作装置は、スリープモードに移行するためのスリープ要求メッセージを基地局に送信する送信部１１０１と、基地局からスリープモード動作パラメータが含まれるスリープ応答メッセージ及びデータトラフィック発生指示メッセージを受信する受信部１１０３と、スリープモード動作パラメータに基づいてスリープモードに状態変更する制御部１１０５とを含む。
【０１１７】
受信部１１０３は、スリープモードのリッスン区間で、サービスの追加、変更、又は削除に関するサービスフロー接続及び前記サービスフロー動作パラメータを含むサービスフロー設定要求メッセージを受信する。
【０１１８】
制御部１１０５は、前記サービスフロー接続及び動作パラメータの設定を行い、前記サービスフローの動作のための前記スリープモードのスリープ周期及びスリープモード動作を更新する。本発明の一実施形態によれば、前記サービスの追加、変更、又は削除に関するＤＳｘ−ＲＥＱ／ＲＳＰ又はダウンリンクスリープ制御拡張ヘッダによりＳＣＩＤ及び開始フレーム番号が伝送されるので、制御部１１０５は、サービスフロー接続の設定時に、スリープモード更新情報に基づいて現在のスリープモードのスリープ周期を更新することができる。
【０１１９】
以上説明した本発明による方法は、ソフトウェア、ハードウェア、又はそれらの組み合わせとして実現されてもよい。例えば、本発明による方法は、記憶媒体（例えば、端末の内部メモリ、フラッシュメモリ、ハードディスクなど）に保存することができ、プロセッサ（例えば、端末の内部マイクロプロセッサ）により実行されるソフトウェアプログラム内にコード又はコマンドで実現することができる。
【０１２０】
以上、本発明の好ましい実施形態を例に説明したが、本発明の範囲はこれらの特定の実施形態に限定されるものではないので、本発明は本発明の思想及び請求の範囲に記載された範疇内において様々な形態に修正、変更又は改善することができる。
【図１】
0005539510.tif 000010
【図２】
0005539510.tif 000011
【図３】
0005539510.tif 000012
【図４】
0005539510.tif 000013
【図５】
0005539510.tif 000014
【図６】
0005539510.tif 000015
【図７】
0005539510.tif 000016
【図８】
0005539510.tif 000017
【図９】
0005539510.tif 000018
【図１０】
0005539510.tif 000019
【図１１】
0005539510.tif 000020